(57)【要約】【課題】  本発明の課題は、海洋固定構造物および船舶またはそれに類する浮揚構造物の附着物を、衝撃波の負荷を利用して剥離あるいは破壊することにより除去する技術の提供にある。【解決手段】  本発明は、上記課題を解決するために海洋固定構造物および船舶またはそれに類する浮揚構造物の表面に附着した附着物に対し、爆薬等によって発生した衝撃波を有効に制御して負荷することにより、海洋固定構造物および船舶またはそれに類する浮揚構造物には破壊などの被害を与えず、衝撃波が海洋固定構造物および船舶またはそれに類する浮揚構造物の表面から反射することによる剥離作用、さらに構造物中を通過し、発生した希薄波による剥離作用あるいは破壊作用によって付着物を除去することを特徴とする。【選択図】        図４
2005289097.tif 000002
【特許請求の範囲】
【請求項１】
海洋固定構造物および船舶またはそれに類する浮揚構造物表面に附着した附着物に対し、衝撃波を負荷し剥離あるいは破壊することによる除去技術。
【発明の詳細な説明】
【技術分野】
【０００１】
本発明は、海洋固定構造物および船舶またはそれに類する浮揚構造物に附着した附着物（例えば、貝）の除去を目的として、衝撃波を利用することで薬品等に頼ることなく剥離あるいは破壊するための除去技術に関する。
【背景技術】
【０００２】
従来、海洋固定構造物および船舶またはそれに類する浮揚構造物の附着物の除去には、附着防止成分を含む塗料の塗布や、ダイバーによる潜水手作業、あるいは陸上へあげての手作業による除去が行われている。
水中附着物除去作業を省力化する装置には、水流の発生を利用したものがある。
【特許文献１】特開平０５−１３２９４８号公報
【発明の開示】
【発明が解決しようとする課題】
【０００３】
本発明の課題は、海洋固定構造物および船舶またはそれに類する浮揚構造物の附着物を、衝撃波の負荷を利用して剥離あるいは破壊することにより除去する技術の提供にある。
【０００４】
海洋固定構造物および船舶またはそれに類する浮揚構造物の表面には、淡水海水を問わず、ゼブラ貝やフジツボといった貝類に代表される附着性生物や水に含まれるミネラル成分の析出物が附着する。その結果、美観の損失、摩擦の増加による燃費の悪化、排水効率の悪化、強度の劣化等、様々な問題が発生する。
【０００５】
これらの附着物を除去するために行われている方法は、水中から陸上に取り出すことができる場合は附着防止成分を含む塗料等の定期的な塗布や手作業による除去、水中から取り出すことができない場合はダイバーが潜水しての手作業による除去など、人力作業に頼っている。しかし、これらの手法はコストがかさむうえ、海洋固定構造物および船舶またはそれに類する浮揚構造物や作業員に対しての安全面での問題、薬品を使う場合は環境汚染の問題、また長距離に渡る排水パイプの内部のように物理的に人力作業が不可能なために放置されている場合もある。
【０００６】
本発明は、衝撃波が海洋固定構造物および船舶またはそれに類する浮揚構造物の表面から反射することによる剥離作用、さらに構造物中を通過し、発生した希薄波による剥離作用あるいは破壊作用によって付着物を除去する技術である。本発明の技術により、海洋固定構造物および船舶またはそれに類する浮揚構造物を水中から取り出すことなく、海洋固定構造物および船舶またはそれに類する浮揚構造物には破壊などの被害を与えず、また時間と手間を要しコスト高となる手作業に頼ることなく、附着物の除去が実現できる。
【課題を解決するための手段】
【０００７】
本発明は上記課題を解決するために、海洋固定構造物および船舶またはそれに類する浮揚構造物の表面の附着物を剥離あるいは破壊することにより除去する目的で、衝撃波の利用を特徴とする。
【０００８】
請求項１に記載のものは、海洋固定構造物および船舶またはそれに類する浮揚構造物の表面に附着した附着物に対し、爆薬等によって発生した衝撃波を有効に制御して負荷することにより、海洋固定構造物および船舶またはそれに類する浮揚構造物には破壊などの被害を与えず、衝撃波が海洋固定構造物および船舶またはそれに類する浮揚構造物の表面から反射することによる剥離作用、さらに構造物中を通過し、発生した希薄波による剥離作用あるいは破壊作用によって付着物を除去することを特徴とする。
【発明の効果】
【０００９】
以上説明したように本発明によれば、次に記述する効果を奏する。
主に船舶において従来行われている附着防止成分を含む塗料の塗布方法は、その成分が環境を汚染する可能性は完全には否定できない。現在は法律により内分泌攪乱物質に対する規制は行われているが、今後新たに規制対象となる成分が追加されることも大いに考えられる。これに対して、本発明による衝撃波を利用した除去技術は衝撃波の伝播という物理的な効果であるため、特殊な化学物質を一切用いることがなく、環境汚染の心配は否定される。
【００１０】
海洋固定構造物および船舶またはそれに類する浮揚構造物を陸上にあげての除去作業においては、水中から陸上そして水中という移動において、多大な時間とコストを要するうえに破損の恐れがあり、リスクの高い方法である。また、この方法は構造的ないしは物理的に水中から出せない物に対しては用いることができない。
これに対して本発明による除去技術は、負荷する衝撃波を水中衝撃波とすることで、海洋固定構造物および船舶またはそれに類する浮揚構造物を水中から出すことなく処理することが可能である。
【００１１】
ダイバーによる潜水手作業での除去は作業員の技術を必要とし、例えば港湾内での作業には免許を要する。さらに運航中の船舶や動作中の各種機器との接触事故、各種潜水事故の回避等、様々な問題を抱えている。
本発明による除去技術は、水を伝播媒体とする水中衝撃波を負荷することにより、危険な潜水作業を必要としない。
【００１２】
図１および図２に本発明の効果を確認する実験結果を示す。この実験では衝撃波発生源として紐状爆薬である導爆線と起爆用に電気雷管を用い、図１に示す表面に貝類が附着した金属製品を爆発実験用水槽に設置し、水中衝撃波を負荷した。図２から、衝撃波の負荷前に金属製品に附着していた貝類が、衝撃波が金属製品の表面から反射することによる剥離作用、さらに金属製品中を通過し、発生した希薄波による剥離作用によって衝撃波負荷後に剥離し、また金属製品には破壊などの被害が見られないことがわかる。
【００１３】
これにより、本発明によれば、海洋固定構造物および船舶またはそれに類する浮揚構造物に附着した附着物に対して衝撃波が海洋固定構造物および船舶またはそれに類する浮揚構造物の表面から反射することによる剥離作用、さらに構造物中を通過し、発生した希薄波による剥離作用あるいは破壊作用によって付着物を除去することにより、低コストで人的にも環境面でも安全かつ確実に除去を行うことが可能となる。
【発明を実施するための最良の形態】
【００１４】
以下、図面を参照しながら、本発明を具体化した実施形態について説明する。
【実施例１】
【００１５】
図３は、船底表面に附着物が附着した船舶の概略図である。
【００１６】
図４は、本技術により船底表面に附着物が附着した船舶から附着物を剥離あるいは破壊し除去する手法の概略図である。電気雷管によって起爆した複数の導爆線から発生した衝撃波は、水を媒体として伝播し、海洋固定構造物および船舶またはそれに類する浮揚構造物の表面から反射することによる剥離作用、さらに構造物中を通過し、発生した希薄波による剥離作用あるいは破壊作用が附着物に作用する。水中衝撃波は、導爆線と船底および附着物との間の距離によって、圧力が変化する。
【００１７】
図５は、衝撃波が海洋固定構造物および船舶またはそれに類する浮揚構造物と附着物に対し、衝撃波が入射する様子を説明した断面図である。
【００１８】
図６は、衝撃波が通過した後、衝撃波が海洋固定構造物および船舶またはそれに類する浮揚構造物の表面に発生した希薄波ならびに反射衝撃波による剥離作用あるいは破壊作用によって付着物を除去する様子を説明した断面図である。衝撃波は、最適な距離とそれによる圧力で衝撃波が海洋固定構造物および船舶またはそれに類する浮揚構造物には破壊などの被害を与えることなく、附着物を剥離あるいは破壊し、衝撃波が海洋固定構造物および船舶またはそれに類する浮揚構造物の表面から除去する。
【産業上の利用可能性】
【００１９】
海洋固定構造物および船舶またはそれに類する浮揚構造物の附着物を、衝撃波の負荷を利用して剥離あるいは破壊することにより除去し、安全にメンテナンスを行うことで、海洋固定構造物および船舶またはそれに類する浮揚構造物の使用可能期間を延長する。また本発明は化学薬品を使用せず、人的に危険な作業も行わないので、環境汚染や作業従事者の安全性を確保する。
【図面の簡単な説明】
【００２０】
【図１】衝撃波を負荷する前の貝類が附着した金属製品
【図２】衝撃波を負荷した後の貝類が剥離した金属製品
【図３】附着物が附着した船舶
【図４】附着物が附着した船舶に対する水中衝撃波の負荷方法
【図５】附着物に衝撃波が負荷する様子（断面図）
【図６】附着物が破壊・剥離する様子（断面図）
【符号の説明】
【００２１】
１１ 金属製品に附着した貝類
１２ 金属製品
２１ 金属製品から貝類が剥離した跡
２２ 金属製品
３１ 船舶
３２ 水面
３３ 附着物
４１ 水面
４２ 船舶
４３ 附着物
４４ 導爆線
４５ 電気雷管
５１ 海洋固定構造物および船舶またはそれに類する浮揚構造物の断面
５２ 附着物
５３ 入射波
６１ 通過衝撃波
６２ 海洋固定構造物および船舶またはそれに類する浮揚構造物の断面
６３ 剥離あるいは破壊された附着物
６４ 希薄膜
６５ 反射衝撃波
【図１】
2005289097.tif 000003
【図２】
2005289097.tif 000004
【図３】
2005289097.tif 000005
【図４】
2005289097.tif 000006
【図５】
2005289097.tif 000007
【図６】
2005289097.tif 000008